(57)【要約】【課題】被検者を拘束せず、ノイズを抑えて微弱な信号を安定して取得できる電気信号取得用床を提供する。【解決手段】被検者の体表から電気信号を取得する電気信号取得計に用いられる複数の外部電極を少なくとも床の一部に備え、複数の外部電極間は電気的に絶縁されており、裏面が体表と直接接触可能で表面が外部電極と直接接触可能な可撓性導電部を備え個数が外部電極より少ない着衣側電極から取得した電気信号を電気信号取得計に出力する構成を採る。【選択図】図１
2018000888.tif 000002
【特許請求の範囲】
【請求項１】
被検者の体表から電気信号を取得する電気信号取得計に用いられる複数の外部電極を少なくとも床の一部に備え、前記複数の外部電極間は電気的に絶縁されており、裏面が前記体表と直接接触可能で表面が前記外部電極と直接接触可能な可撓性導電部を備え個数が前記外部電極より少ない着衣側電極から取得した電気信号を前記電気信号取得計に出力することを特徴とする電気信号取得用床。
【請求項２】
前記外部電極の最大径は、隣り合う前記着衣側電極間の非導電部分の最小距離より小さいことを特徴とする請求項１に記載の電気信号取得用床。
【請求項３】
隣り合う前記外部電極間の非導電部分の距離は、前記着衣側電極の最小辺幅若しくは最小径より小さいことを特徴とする請求項１又は２に記載の電気信号取得用床。
【請求項４】
前記電気信号取得用床は、床に敷かれた敷物であることを特徴とする請求項１乃至３のいずれか１項に記載の電気信号取得用床。
【請求項５】
前記外部電極の表面は円形或いは多角形であることを特徴とする請求項１乃至４のいずれか１項に記載の電気信号取得用床。
【請求項６】
前記複数の外部電極で取得した電気信号の一部を選択して前記電気信号取得計に出力することを特徴とする請求項１乃至５のいずれか１項に記載の電気信号取得用床。
【発明の詳細な説明】
【技術分野】
【０００１】  本発明は、被検者の医療用電気信号を取得するための電気信号取得用床に関する。
【背景技術】
【０００２】  社会の高齢化に伴い、高齢者の人口が増加し、介護が必要となる高齢者も増加している。循環器系の疾患である脳血管疾患、心疾患の原因の１つに心房細動などの不整脈が挙げられる。不整脈の発生は規則性が無く、発見は難しい。【０００３】  発見できれば、脳血管疾患の早期発見につながり、重篤な症状になる前に発見することにより、寝たきり等による介護負担の軽減ができ、個人的にも社会的にも医療費の負担の軽減に寄与できる。その為、就寝中に無意識状態時で心電等の医療用電気信号を連続して取得できる電気信号取得用床が求められている。【０００４】  例えば、特許文献１には、被検者の着衣の一部又は全部が表裏両面にわたって導電性を有する布体で構成されている電気信号取得用着衣と電気的に接触接続する電気信号取得用床が記載されている。
【先行技術文献】
【特許文献】
【０００５】
【特許文献１】特開平１１−１２８１８７号公報
【発明の概要】
【発明が解決しようとする課題】
【０００６】  特許文献１に記載の電気信号取得用床においては、電気信号取得計の２つの電極に接続される肩付近の広範囲に設けられた１つの電極と、足付近の広範囲に設けられたもう１つの電極とで構成しているのみで、ノイズを抑えて微弱な信号を取得するには、例えば心臓を挟む位置に電極を設ける方法が知られているが、この様な近接する位置に複数の電極を設けた電気信号取得用着衣と電気的に接触接続する電気信号取得用床については、全く開示も示唆もされていない。【０００７】  本発明は、この様な従来の問題点を解決するものであり、被検者を拘束せず、近接する位置に複数の電極を設け、ノイズを抑えて微弱な信号を安定して取得できる電気信号取得用着衣に対応する電気信号取得用床を提供することを目的とする。
【課題を解決するための手段】
【０００８】  本発明の電気信号取得用床は、被検者の体表から電気信号を取得する電気信号取得計に用いられる複数の外部電極を少なくとも床の一部に備え、前記複数の外部電極間は電気的に絶縁されており、裏面が前記体表と直接接触可能で表面が前記外部電極と直接接触可能な可撓性導電部を備え個数が前記外部電極より少ない着衣側電極から取得した電気信号を前記電気信号取得計に出力する構成を採る。
【発明の効果】
【０００９】  本発明によれば、被検者を拘束せず、ノイズを抑えて微弱な信号を安定して取得できる電気信号取得用床を提供できる。
【図面の簡単な説明】
【００１０】
【図１】本発明の一実施の形態に係る電気信号取得用床の構成を説明する為の概念図
【図２】本発明の一実施の形態に係る電気信号取得用床の電極の位置関係例を示す図
【図３】本発明の一実施の形態に係る電気信号取得用床と被検者及び電気信号取得用着衣との関係を示す図
【図４】本発明の一実施の形態に係る電気信号取得用床の外部電極配列エリアの他の構成を示す図
【発明を実施するための形態】
【００１１】  以下、本発明の一実施の形態について図面を参照して詳細に説明する。
【００１２】  図１は、本発明の一実施の形態に係る電気信号取得用床の構成を説明する為の概念図である。図１ａは、被検者が電気信号取得用着衣を着けて外部電極を備えた電気信号取得用床に上向きに寝ている状態を示す図である。図１ｂは、電気信号取得用着衣の着衣側電極の配列を示す図である。図１ｃは、電気信号取得用床の外部電極の配列を示す図である。
【００１３】  図２は、本発明の一実施の形態に係る電気信号取得用床の電極の位置関係例を示す図である。図３は、本発明の一実施の形態に係る電気信号取得用床と被検者及び電気信号取得用着衣との関係を示す図である。図４は、本発明の一実施の形態に係る電気信号取得用床の外部電極配列エリアの他の構成を示す図である。
【００１４】  電気信号取得用床６０は、被検者２０の体表２２から電気信号を取得する電気信号取得計３０に用いられる複数の外部電極１２，１２ａ〜１２ｋ，１２ｍ，１２ｎ，１２ｐ〜１２ｖを備えて、各外部電極間は電気的に絶縁されている。
【００１５】  電気信号取得用床６０は、裏面１６が被検者２０の体表２２と直接接触可能で表面１８が外部電極１２と直接接触可能な可撓性導電部４０を備え個数が外部電極１２より少ない着衣側電極１４ａ〜ｃから取得した電気信号を電気信号選択部３６を介して電気信号取得計３０に出力する。各外部電極１２は、例えば四角形である。取得する電気信号としては、例えば、心電がある。
【００１６】  外部電極１２の最大径Ｌ１は、隣り合う着衣側電極１４ａと着衣側電極１４ｂとの非導電部分の最小距離Ｌ２より小さい構成とし、着衣側電極間を外部電極により短絡されてしまうことが無い様にしている。全ての外部電極において同様の構成にしている。
【００１７】  なお、最大径Ｌ１の最大径とは、円の場合は直径であることは言うまでもないが、四角形の場合は対角線の様に、その形状で取りうる最大となる直線寸法の事を言う。
【００１８】  隣り合う外部電極１２ｄと外部電極１２ｅとの非導電部分の距離Ｌ３は、着衣側電極１４ｃの最小辺幅Ｌ４より小さい構成とし、外部電極が配列されている外部電極配列エリア１３ａ内であれば、外部電極のいずれかが、必ず着衣側電極に接触する様にしている。全ての外部電極において同様の構成にしている。
【００１９】  可撓性導電部４０は、導電性繊維を、刺繍の様に、非導電性繊維の布で作られた着衣１０の表裏を、貫通する様に縫って布を構成している。
【００２０】  着衣側電極１４ａと１４ｂとは、被検者２０の心臓を挟んだ左右となる位置に設け、着衣側電極１４ｃは、着衣側電極１４ａから見て、被検者２０の足方向に設けてある。
【００２１】  外部電極１２，１２ａ〜１２ｋ，１２ｍ，１２ｎ，１２ｐ〜１２ｖで取得した電気信号は、それぞれケーブル３８によって電気信号選択部３６に入力され、選択された電気信号がケーブル３１，３２，３３によって電気信号取得計３０に入力される。
【００２２】  外部電極を介して着衣側電極１４ａで取得した電気信号をＲＡ、着衣側電極１４ｂで取得した電気信号をＬＡ、着衣側電極１４ｃで取得した電気信号をＧとすると、（ＬＡ−Ｇ）−（ＬＡ−ＲＡ）＝ＲＡ−Ｇを得ることでノイズを抑えた心電を取得することができる。
【００２３】  図１においては、外部電極１２は電気信号取得用床６０の表面から裏面に貫通する構造としており、図３においては、外部電極１２はマットレス６２の上に設ける敷物であるシーツ６１を電気信号取得用床として構成する構造としている。敷物は、シーツに限定されず、マットや毛布などでも良い。
【００２４】  以上説明した様に、本実施の形態によれば、被検者を拘束せず、ノイズを抑えて微弱な信号を安定して取得できる電気信号取得用床を提供できる。
【００２５】  以上の説明は本発明の好適な実施の形態の例証であり、本発明の範囲はこれに限定されることはない。
【００２６】  例えば、可撓性導電部は導電性繊維による縫布である必要は無く、導電性繊維から構成された織布や編布、不織布、また導電性を有するフィルム、或いは導電性を有するインクによるプリントや吹きつけであっても良く、それらの組み合わせでも良い。外部電極についても同様である。
【００２７】  さらに、外部電極および着衣側電極は可撓性導電部のみで構成されてなくても良く、例えば、可撓性導電部と金属部との組み合わせでも良い。さらに、外部電極の表面は四角形でなくても良く、例えば、図４に示す様に、他の多角形や円形や、それらの組み合わせなど、自由な形状で良い。
【００２８】  なお、電気信号取得計が、全ての外部電極の信号を入力可能で、入力された電気信号を選択する機能を有していれば、電気信号取得用床が電気信号選択部を備えていなくても良い。
【産業上の利用の可能性】
【００２９】  本発明に係る電気信号取得用床は、被検者を拘束せず、ノイズを抑えて微弱な信号を安定して取得できる電気信号取得用床として好適である。
【符号の説明】
【００３０】  １０  電気信号取得用着衣
１２，１２ａ〜１２ｋ，１２ｍ，１２ｎ，１２ｐ〜１２ｖ  外部電極
１３ａ〜ｃ  外部電極配列エリア
１４，１４ａ〜ｃ  着衣側電極
１６  裏面
１８  表面
２０  被検者
２２  体表
２６  枕
３０  電気信号取得計
３１，３２，３３，３８  ケーブル
３６  電気信号選択部
４０  可撓性導電部
６０  電気信号取得用床
６１  シーツ
６２  マットレス
【図１】
2018000888.tif 000003
【図２】
2018000888.tif 000004
【図３】
2018000888.tif 000005
【図４】
2018000888.tif 000006